(57)【要約】【課題】被綴じ物が垂れて表紙より出ないように綴じることができるファイルを提供する。【解決手段】この発明にかかるファイル・バインダ類は、綴じ穴を２以上穿設された被綴じ物の綴じ穴に綴じ杆を挿通して綴じ具に綴じるもので、前記綴じ具１０は、ファイル・バインダ類を綴じ具１０の長さ方向に立てたとき、被綴じ物の綴じ穴と離れた領域が、立てたとき下に位置する表紙１０１８の端縁より外に出ないように、前記端縁に近い綴じ杆１４における、表紙が閉じられたときに被綴じ物を綴じている綴じ杆の領域が、前記端縁より遠い方の綴じ杆１２より、前記下に位置する端縁を有する表紙１０１８と直交するように連設された表紙１０１４の内面より離れた位置において、表紙に固定されている。【選択図】図１
2010052397.tif 000002
【特許請求の範囲】
【請求項１】
綴じ穴を２以上穿設された被綴じ物の綴じ穴に綴じ杆を挿通して綴じ具に綴じる、ファイル・バインダ類において、
ファイル・バインダ類を綴じ具の長さ方向に立てたとき、
被綴じ物の綴じ穴と離れた領域が表紙の端縁より外に出ないように、
綴じ具が表紙に固定された、ファイル・バインダ類。
【請求項２】
綴じ穴を２以上穿設された被綴じ物の綴じ穴に綴じ杆を挿通して綴じ具に綴じる、ファイル・バインダ類において、
前記綴じ具は、
ファイル・バインダ類を綴じ具の長さ方向に立てたとき、被綴じ物の綴じ穴と離れた領域が、立てたとき下に位置する表紙の端縁より外に出ないように、
前記端縁に近い綴じ杆における、表紙が閉じられたときに被綴じ物を綴じている綴じ杆の領域が、前記端縁より遠い方の綴じ杆より、前記下に位置する端縁を有する表紙と略直交するように連設された表紙の内面より離れた位置において、表紙に固定された、ファイル・バインダ類。
【請求項３】
前記綴じ具は、前記端縁に近い方の綴じ杆における、表紙が閉じられたときに被綴じ物を綴じている綴じ杆の領域が、背表紙より離れた位置において、前記端縁と略直交する背表紙の内面又は前記端縁を有する表紙の内面に、固定された、請求項１又は２に記載のファイル・バインダ類。
【請求項４】
前記綴じ具は、
表紙が閉じられたときに被綴じ物を綴じている綴じ杆の領域が、前記端縁に近い方の綴じ杆の方が遠い方の綴じ杆より、前記端縁と略直交する背表紙の内面より離れるように、垂れ防止手段を介在させて、表紙に固定された、請求項１又は２に記載のファイル・バインダ類。
【請求項５】
前記綴じ具は、
表紙が閉じられたときに被綴じ物を綴じている綴じ杆の領域が、前記端縁に近い方の綴じ杆の方を、前記端縁より遠い方の綴じ杆より、前記下に位置する端縁を有する表紙と略直交するように連設された表紙の内面より離れる形状に形成された、請求項１又は２に記載のファイル・バインダ類。
【請求項６】
前記綴じ具は、
表紙が閉じられたときに被綴じ物を綴じている綴じ杆の領域が、前記端縁に近い方の綴じ杆の方が遠い方の綴じ杆より、前記端縁と略直交する背表紙の内面より離れるように、綴じ杆の高さ、綴じ杆の大きさ又は綴じ杆の位置を変えた綴じ具である、請求項５に記載のファイル・バインダ類。
【発明の詳細な説明】
【技術分野】
【０００１】
この発明は、ファイル・バインダ類に関し、特に例えば綴じ穴のあいた被綴じ物を綴じる綴じ具を備えたファイルに関する。
【背景技術】
【０００２】
この発明の背景となる従来の綴じ穴のあいた被綴じ物を綴じる綴じ具として、リング綴じ具、パイプ式綴じ具、Ａ−Ｚ型綴じ具があるが、その一例が、たとえば特開２００６−１５９９１３号公報に開示されている。この公報に開示されている綴じ具は、いわゆるＤ型リング綴じ具をファイル用表紙に固定し、綴じ穴のあいた被綴じ物を綴じるように構成されている。
【０００３】
【特許文献１】特開２００６−１５９９１３号公報
【発明の開示】
【発明が解決しようとする課題】
【０００４】
従来のＤ型又はＯ型リングの綴じ具を用いたファイル１においては、図３５に示すように、用箋等の被綴じ物２の綴じ穴３より綴じ具４の綴環５が細いので、綴じ具４を垂直に立てるようにしてファイル１を立てたとき、用箋等の被綴じ物２の自重により綴じ具４の綴環５に綴じられた被綴じ物２が垂れてしまい、被綴じ物２の下端縁６が表紙７よりはみ出すという問題がある。
それゆえに、この発明の主たる目的は、被綴じ物が垂れて表紙より出ないように綴じることができるファイル・バインダ類を提供することである。
【課題を解決するための手段】
【０００５】
この発明にかかるファイル・バインダ類は、綴じ穴を２以上穿設された被綴じ物の綴じ穴に綴じ杆を挿通して綴じ具に綴じる、ファイル・バインダ類において、ファイル・バインダ類を綴じ具の長さ方向に立てたとき、被綴じ物の綴じ穴と離れた領域が表紙の端縁より外に出ないように、綴じ具が表紙に固定された、ファイル・バインダ類である。
この発明の請求項２にかかるファイル・バインダ類は、綴じ穴を２以上穿設された被綴じ物の綴じ穴に綴じ杆を挿通して綴じ具に綴じる、ファイル・バインダ類において、前記綴じ具は、ファイル・バインダ類を綴じ具の長さ方向に立てたとき、被綴じ物の綴じ穴と離れた領域が、立てたとき下に位置する表紙の端縁より外に出ないように、前記端縁に近い綴じ杆における、表紙が閉じられたときに被綴じ物を綴じている綴じ杆の領域が、前記端縁より遠い方の綴じ杆より、前記下に位置する端縁を有する表紙と略直交するように連設された表紙の内面より離れた位置において、表紙に固定された、ファイル・バインダ類である。
この発明の請求項３にかかるファイル・バインダ類は、前記綴じ具は、前記端縁に近い方の綴じ杆における、表紙が閉じられたときに被綴じ物を綴じている綴じ杆の領域が、背表紙より離れた位置において、前記端縁と略直交する背表紙の内面又は前記端縁を有する表紙の内面に、固定された、請求項１又は２に記載のファイル・バインダ類である。
この発明の請求項４にかかるファイル・バインダ類は、前記綴じ具は、表紙が閉じられたときに被綴じ物を綴じている綴じ杆の領域が、前記端縁に近い方の綴じ杆の方が遠い方の綴じ杆より、前記端縁と略直交する背表紙の内面より離れるように、垂れ防止手段を介在させて、表紙に固定された、請求項１又は２に記載のファイル・バインダ類である。
この発明の請求項５にかかるファイル・バインダ類は、前記綴じ具は、表紙が閉じられたときに被綴じ物を綴じている綴じ杆の領域が、前記端縁に近い方の綴じ杆の方を、前記端縁より遠い方の綴じ杆より、前記下に位置する端縁を有する表紙と略直交するように連設された表紙の内面より離れる形状に形成された、請求項１又は２に記載のファイル・バインダ類である。
この発明の請求項６にかかるファイル・バインダ類は、前記綴じ具は、表紙が閉じられたときに被綴じ物を綴じている綴じ杆の領域が、前記端縁に近い方の綴じ杆の方が遠い方の綴じ杆より、前記端縁と略直交する背表紙の内面より離れるように、綴じ杆の高さ、綴じ杆の大きさ又は綴じ杆の位置を変えた綴じ具である、請求項５に記載のファイル・バインダ類である。
【発明の効果】
【０００６】
この発明によれば、綴じ穴を２以上穿設された被綴じ物の綴じ穴に綴じ杆を挿通して綴じ具に綴じる、ファイル・バインダ類において、ファイル・バインダ類を綴じ具の長さ方向に立てたとき、被綴じ物の綴じ穴と離れた領域が表紙の端縁より外に出ないように、綴じ具が表紙に固定されているので、ファイルに綴じられた被綴じ物が垂れないように綴じることができる。
請求項２の発明によれば、綴じ穴を２以上穿設された被綴じ物の綴じ穴に綴じ杆を挿通して綴じ具に綴じる、ファイル・バインダ類において、前記綴じ具は、ファイル・バインダ類を綴じ具の長さ方向に立てたとき、被綴じ物の綴じ穴と離れた領域が、立てたとき下に位置する表紙の端縁より外に出ないように、前記端縁に近い綴じ杆における、表紙が閉じられたときに被綴じ物を綴じている綴じ杆の領域が、前記端縁より遠い方の綴じ杆より、前記下に位置する端縁を有する表紙と略直交するように連設された表紙の内面より離れた位置において、表紙に固定されているので、ファイルの表紙を閉じるだけで、綴じ杆の異なりにより被綴じ物が垂れないように綴じることができる。
【０００７】
この発明の上述の目的、その他の目的、特徴および利点は、図面を参照して行う以下の発明を実施するための最良の形態の説明から一層明らかとなろう。
一般的には、ファイルとはおおむね記録済みの文書（伝票・カタログ・書類など）をとじ、又は、はさみ入れて整理・保管することのできる表紙をいい、バインダーとはおおむね未記録のとじ穴のある用紙（ルーズリーフ、帳票など）を挿入し、記録できる、とじ具付き表紙をいうが、この発明の特許請求の範囲及び明細書においては、綴じ具の付いたファイルとバインダーとを総称して、ファイル又はファイル・バインダ類という。
【発明を実施するための最良の形態】
【０００８】
図１は、本発明の一実施の形態である表紙構造を備えたファイルの一部を断面とした正面図解図である。図２は、図１図示ファイルの表紙を閉じた状態の断面図解図である。
【０００９】
この発明の実施の形態であるファイル１０１０は、表紙１０１２と、表紙１０１２に固定された綴じ具１０とを含む。
【００１０】
綴じ具１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００１１】
表紙１０１２は、前記綴じ具１０の保持部材を固定する背表紙１０１４と、前記背表紙１０１４の両端に開閉自在に延設された、表表紙１０１６及び裏表紙１０１８とを備え、図１，２及び３２に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【００１２】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は、背表紙１０１４と裏表紙１０１８との境界に設けられている。
【００１３】
この綴じ具１０の第１の綴環１２及び第２の綴環１４は、Ｏ字型であり、図３２に示すように、綴じ具の長さ（Ｄ）と、綴じ具の幅（Ｅ）と、綴じ具の高さ（Ｈ）とを有する。
この綴じ具１０の綴環は、第１の綴環１２と第２の綴環１４とからなるが、第１の綴環１２の第１の半割杆１２ａと第２の半割杆１２ｂ及び第２の綴環１４の第３の半割杆１４ａと第４の半割杆１４ｂとがそれぞれ線対称であり、その形状が略同じである。
すなわち、第１の綴環１２の第１の半割杆１２ａ及び第２の綴環１４の第３の半割杆１４ａは、略半円環状であり、もう一方の（第１の綴環１２の）第２の半割杆１２ｂ及び（第２の綴環１４の）第４の半割杆１４ｂは、略半円環状であり、背表紙１０１４の内側に位置する。
第１の綴環１２と第２の綴環１４とは、綴じ具の長さ（Ｄ）方向において適宜な間隔をおいて分かれており、第１の綴環１２及び第２の綴環１４ののびる方向、すなわち高さ（Ｈ）方向を有する。第１の綴環１２及び第２の綴環１４の高さ（Ｈ）方向は、表紙１０１２の幅（Ｅ）方向にのび、且つ表表紙１０１６と裏表紙１０１８の内面と直交し背表紙１０１４の内表面と直交する平面（仮想面）上においてのびる。
【００１４】
綴じ具１０は、表側薄肉ヒンジ部１０２０及び裏側薄肉ヒンジ部１０２２との間に少し距離をおいて、背表紙１０１４の内面に固定されており、第１の綴環１２の基部と頂部との間の長さ及び第２の綴環１４の基部と頂部との間の長さ（すなわち第１の綴環１２及び第２の綴環１４の高さ（Ｈ））は、両方略同等に形成されている。
【００１５】
このファイル１０１０は、綴じ具１０の長さ方向に立てたとき、被綴じ物Ｓを垂れないようにするための垂れ防止手段１０３０が綴じ具１０の側に形成されている。
垂れ防止手段１０３０は、表紙１０１２の表表紙１０１６を表側薄肉ヒンジ部１０２０において折り曲げ且つ裏表紙１０１８を裏側薄肉ヒンジ部１０２２において折り曲げて閉じ、ファイルを綴じ具１０の長さ方向に立てたとき、被綴じ物Ｓの綴じ穴と離れた領域が立てたとき下に位置する表表紙１０１６及び裏表紙１０１８の下端縁より外（下方）に出ないように、第１の綴環１２と第２の綴環１４ののびる方向（高さ方向）における高さ位置を変えることにより、構成される。すなわち、前記表表紙１０１６及び裏表紙１０１８の端縁に近い第２の綴環１４における、表紙１０１２が閉じられたときに被綴じ物Ｓを綴じている綴じ杆の領域が、前記端縁より遠い方の第１の綴環１２より、前記下に位置する下端縁を有する表表紙１０１６及び裏表紙１０１８と直交するように連設された背表紙１０１４の内面より離れた位置において、表紙１０１２に固定されている。
【００１６】
この実施の形態における綴じ具１０は、表紙１０１２が閉じられたときに被綴じ物Ｓを綴じている綴じ杆すなわち第１の綴環１２の第１の半割杆１２ａ及び第２の半割杆１２ｂ並びに第２の綴環１４の第３の半割杆１４ａ及び第４の半割杆１４ｂの領域が、前記表表紙１０１６及び裏表紙１０１８の下端縁に近い方の第２の綴環１４の方が遠い方の第１の綴環１２より背表紙１０１４から離れた位置において、前記下端縁と直交する背表紙１０１４の内面に、垂れ防止手段１０３０を構成する押し上げ片９０を介在させて、固定されている。
表紙１０１２が閉じられたときに被綴じ物Ｓを綴じている綴じ杆の領域とは、例えば、図２に示すように、綴じ杆の頂部にある綴杆係止部５０及びその近傍である。
【００１７】
この実施の形態においては、図３において示すように、押し上げ片９０は、上端側を薄く、下端側に至るに従って厚く形成され、綴じ具１０の取り付け面９２が、綴じ具１０の幅以上の幅であって背表紙１０１４の幅と同等もしくは背表紙１０１４の幅より狭い幅を有する平面状である、断面三角形の略くさび形状を呈している。
押し上げ片９０は、綴じ具１０の保持部材の裏面に、その取り付け面９２において取り付けられるとともに、前記取り付け面９２に相対する固定面９４において背表紙１０１４の内面に固定される。
【００１８】
而して、綴じ穴を２以上穿設された被綴じ物Ｓの綴じ穴に、第１の綴環１２の第１の半割杆１２ａ及び第２の半割杆１２ｂ並びに第２の綴環１４の第３の半割杆１４ａ及び第４の半割杆１４ｂを挿通して、綴じ具１０に被綴じ物Ｓを綴じられたファイル１０１０を閉じ、且つ、ファイル１０１０を、綴じ具１０の長さ方向に立てたとき、被綴じ物Ｓの綴じ穴と離れた領域である自由端側の近傍の下端縁Ｓ１が、表表紙１０１６及び裏表紙１０１８の下端縁より垂れ下がることなく、外に出ない。
【００１９】
引き続き、綴じ具１０について、主として図４ないし１３に基づき、さらに詳しく説明する。
綴じ具１０は、環状の綴じ杆を構成する一対のそれぞれ略円環状の金属製の第１の綴環１２および第１の綴環１２と一対の第２の綴環１４と、前記第１の綴環１２および第２の綴環１４をそれぞれ間隔をおいて設けることができる長さを備えた保持部材１６と、その表面に第１の綴環１２および第２の綴環１４が間隔をおいて第１の綴環１２および第２の綴環１４のそれぞれの基部が固定され、第１の綴環１２および第２の綴環１４が前記保持部材１６に固定されるように保持部材１６の内側に可動自在に固定された作動部材１８と、作動部材１８を付勢する開閉部材４０とを備え、第１の綴環１２及び第２の綴環１４を開くときに、保持部材１６内で第１の綴環１２及び第２の綴環１４を保持部材１６の長手方向に移動させるように構成されている。
【００２０】
この綴じ具１０の綴じ杆は、主綴じ杆たる第１の綴環１２と副綴じ杆たる第２の綴環１４とからなる開閉自在の２穴タイプである。
第１の綴環１２と第２の綴環１４とは、同一方向に向けて、その綴杆係止部５０を指で外すことができるように構成されている。
そして、綴じ杆を閉じるときは、主綴じ杆たる第１の綴環１２を、例えば親指と人差し指で直接挟んで閉じるように構成されており、第１の綴環１２を２本の指で挟んで閉じる方向に作動させると、副綴じ杆たる第２の綴環１４は追動するように構成されている。
【００２１】
保持部材１６は、第１の綴環１２と第２の綴環１４とを所定の間隔をおいて設けることができる長さを備える平面視略長方形で、その両端、すなわち表紙１０１２に取り付ける取付孔２０近傍においては、平面視略半円弧状に形成されている。
保持部材１６は、第１の綴環１２および第２の綴環１４を固定する部位より長手方向における外側近傍より内側に向かって、その中央が膨出した断面略半円弧状の被綴じ物載置部２２を備え、且つ、被綴じ物載置部２２の内側は保持空間を備え、その保持空間に作動部材１８等を収容するように構成されている。
保持部材１６の被綴じ物載置部２２の両端には、その長手方向に略その一端から他端に亘って、作動部材１８を摺動自在に保持する保持壁２４が設けられている。この実施の形態においては、保持壁２４は、保持部材１６の長手方向において、第１の綴環１２および第２の綴環１４のそれぞれの外側近傍より内部に亘って略全体において垂下されるように、第１の保持壁２４ａおよび第２の保持壁２４ｂが連設され、第１の保持壁２４ａと第２の保持壁２４ｂとは平行で略同一の形状の板状である。
そして、この第１の保持壁２４ａおよび第２の保持壁２４ｂと被綴じ物載置部２２によって囲繞された保持空間内に、後に詳しく説明する作動部材１８、開閉部材４０等が収容される。
【００２２】
保持部材１６の被綴じ物載置部２２には、第１の綴環１２と第２の綴環１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴環１２を構成する第１の半割杆１２ａおよび第２の半割杆１２ｂと、第２の綴環１４を構成する第３の半割杆１４ａおよび第４の半割杆１４ｂとに対応して、保持部材１６の幅方向において左右に分かれて一定の間隔をおいて、２つずつ穿設されている。
【００２３】
作動部材１８は、平面視略長方形状金属板からなる一対の第１の作動片３０および第２の作動片３２からなる。
第１の作動片３０及び第２の作動片３２は、その長手方向において、第１の保持壁２４ａ及び第２の保持壁２４ｂと平行でその内面に摺動する外側端縁３０ｂ及び外側端縁３２ｂが形成され、該外側端縁３０ｂ及び外側端縁３２ｂと平行に当該一対の第１の作動片３０及び第２の作動片３２を突き合わせる突き合わせ縁３０ａ及び突き合わせ縁３２ａが内側縁に形成されている。第１の作動片３０及び第２の作動片３２は、突き合わせ縁３０ａ及び突き合わせ縁３２ａの長手方向における中央Ｃ（図８及び図９図示）を対称の中心とする点対称形で、保持部材１６の保持空間内において各々をその長手方向において並置したとき、各々その内側縁において屈曲自在に係合する。
【００２４】
そして、第１の作動片３０および第２の作動片３２は、外側から力が加わらないときには、第１の作動片３０と第２の作動片３２とが谷折り、すなわち保持部材１６の被綴じ物載置部２２の内面より離れた方向（突き合わせ縁３０ａおよび突き合わせ縁３２ａが、図８図示平面Ｐxyより下側）に向いて、あるいはまた、山折り、すなわち保持部材１６の被綴じ物載置部２２の内面に近づいた方向（突き合わせ縁３０ａおよび突き合わせ縁３２ａが図８図示平面Ｐxyより上側）に向いて、その谷折りまたは山折りの状態を維持するように、保持部材１６の内側の保持空間部に内設されている。
平面Ｐxyとは、第１の綴環１２と第２の綴環１４それぞれの基部が第１の作動片３０と第２の作動片３２に固着された部分（４箇所）を通る左右軸Ｙ1，Ｙ2および前後軸Ｘ1，Ｘ2（図８図示）を含む平面である。
【００２５】
作動部材１８は、一方の作動片、すなわち第１の作動片３０における保持部材１６の被綴じ物載置部２２の内側面と対向する表面（すなわち上面）には、第１の綴環１２を構成する第１の半割杆１２ａの基部が固定され、且つ、前記第１の半割杆１２ａとは一定の間隔をおいて、第２の綴環１４を構成する第３の半割杆１４ａの基部が固定されている。
また、他方の作動片、すなわち第２の作動片３２における保持部材１６の被綴じ物載置部２２と対向する表面（すなわち上面）には、第１の綴環１２を構成する第２の半割杆１２ｂの基部が固定され、且つ、前記第２の半割杆１２ｂと一定の間隔をおいて、第２の綴環１４を構成する第４の半割杆１４ｂの基部が固定されている。
【００２６】
前記作動部材１８は、前記開閉部材４０を収容するために、開閉部材収容部３６が、第１の綴環１２及び第２の綴環１４が固定された表面とは反対側の裏面側より表面側に向けて凹設されている。
前記作動部材１８は、第１の作動片３０の突き合わせ縁３０ａの近傍が第１の綴環１２の突き出る方向に向けて凹まされ且つ第２の作動片３２の突き合わせ縁３２ａの近傍が第２の綴環１４の突き出る方向に向けて凹まされることにより、第１の作動片３０に形成された凹み３６ａと第２の作動片３２に形成された凹み３６ｂとを形成されてなる開閉部材収容部３６が形成されている。
凹み３６ａは、突き合わせ縁３０ａ側が深く凹まされ、第１の綴環１２側の上縁及び第２の綴環１４側の下縁は略平行で、突き合わせ縁３０ａと略直交する平面視略方形状である。
凹み３６ｂは、突き合わせ縁３２ａ側が深く凹まされ、第１の綴環１２側の上縁及び第２の綴環１４側の下縁は略平行で、突き合わせ縁３２ａと略直交する平面視略方形状である。
前記開閉部材収容部３６は、第１の作動片３０に形成された凹み３６ａと第２の作動片３２に形成された凹み３６ｂとが、突き合わせ縁３０ａ及び突き合わせ縁３２ａを軸として線対称形に形成されて構成されている。
前記開閉部材４０は、第１の綴環１２及び第２の綴環１４が固定された表面とは反対側の裏面側において、作動部材１８の前記開閉部材収容部３６に固定され、前記第１の綴環１２及び第２の綴環１４を開くときに、保持部材１６内で、前記作動片３０及び作動片３２を保持部材１６の長手方向に移動させるとともに保持部材１６の内面に近づいた方向に保持されるように、第１の綴環１２及び第２の綴環１４を開く方向に変化させるように形成されているので、開閉部材収容部３６は、開閉部材４０を収容し、開閉部材４０の作用により第１の作動片３０と第２の作動片３２とが低背化を図るように構成されている。
【００２７】
そして、前記第１の綴環１２および第２の綴環１４が閉じるときには、図１０に示すように、作動部材１８を構成する第１の作動片３０及び第２の作動片３２は、その突き合わせ縁３０ａおよび突き合わせ縁３２ａが保持部材１６の内面（被綴じ物載置部２２の内面）より離れた方向に向いて（すなわち谷折りの状態）、第１の作動片３０の突き合わせ縁３０ａと第２の作動片３２の突き合わせ縁３２ａとが突き合わされた状態において保持されるとともに、前記第１の綴環１２および第２の綴環１４を開くときには、図１３に示すように、作動部材１８を構成する第１の作動片３０及び第２の作動片３２は、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。
【００２８】
また、作動部材１８を構成する第１の作動片３０及び第２の作動片３２は、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された第１の半割杆１２ａと第３の半割杆１４ａとを結ぶ線（Ｘ1（図８図示））および第２の半割杆１２ｂと第４の半割杆１４ｂとを結ぶ線（Ｘ2（図８図示））と平行な方向に、第１の作動片３０と第２の作動片３２とを移動させることができるように摺動自在に内設されている。
【００２９】
第１の作動片３０の凹み３６ａ内で突き合わせ縁３０ａ側及び第２の作動片３２の凹み３６ｂ内で突き合わせ縁３２ａ側において、第１の綴環１２と第２の綴環１４とを開閉方向に変化させる開閉部材４０が設けられている。
前記開閉部材４０は、前記作動部材１８を構成する一対の作動片すなわち第１の作動片３０と第２の作動片３２との間において、一対の第１の作動片３０と第２の作動片３２をそれぞれ逆方向に移動させるとともに、綴じ杆すなわち第１の綴環１２及び第２の綴環１４の開閉状態を保持させるように、第１の作動片３０に間隔をおいて固定された綴じ杆すなわち第１の半割杆１２ａ及び第３の半割杆１４ａの基部を結ぶ方向と斜めに交差する方向であり、且つ第２の作動片３２に間隔をおいて固定された綴じ杆すなわち第２の半割杆１２ｂ及び第４の半割杆１４ｂの基部を結ぶ方向と斜めに交差する方向に、架け渡されている。
開閉部材４０は、引っ張りコイルバネからなり、巻線部４４と、巻線部４４の両端から巻線部４４を巻き起こしてフックとした固定先端部４２ａ及び固定先端部４２ｂとを備える。開閉部材４０は、図７（Ａ）に示すように、巻線部４４の円周方向に規制腕部４６ａと規制腕部４６ｂとが平行に突き出されている。
【００３０】
前記開閉部材４０は、第１の綴環１２と第２の綴環１４とが閉じた状態において、無負荷時には密着していた巻線部４４がのびるように引っ張られた引っ張り荷重を受けた状態で、荷重を受ける固定先端部４２ａが第１の作動片３０に、固定先端部４２ｂが第２の作動片３２に固定されている。
更に、第１の綴環１２と第２の綴環１４とが閉じた状態において、開いた状態から閉じた状態への方向に向けて第１の作動片３０と第２の作動片３２とを突き合わせ縁３０ａ及び突き合わせ縁３２ａを中心に回動させる方向に、巻線部４４（コイル）の中心軸まわりにねじりモーメントを受け、ばねに荷重が加わり、素線に曲げ応力を発生させて、固定先端部４２ａが第１の作動片３０に、固定先端部４２ｂが第２の作動片３２に固定されている。
この場合、開閉部材４０は、巻線部４４にねじりモーメントなどの負荷が加わっていない状態（図７（Ａ）図示）からみて、巻線部４４の巻き数が１巻以上増えるように巻線部４４を１回転以上ねじった状態（固定先端部４２ａ及び規制腕部４６ａがＲ方向、固定先端部４２ｂ及び規制腕部４６ｂがＱ方向（図７（Ａ）図示））で、固定先端部４２ａ及び４２ｂが開閉部材固定部３８ａ及び開閉部材固定部３８ｂにそれぞれ固定される。
ばねに荷重を加える荷重の方向としては、巻線部４４（コイル）を巻き込む方向に向くように構成されている。
【００３１】
開閉部材４０は、第１の作動片３０と第２の作動片３２との突き合わせ縁３０ａおよび突き合わせ縁３２ａが、谷折り状態（図１０図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
開閉部材４０は、第１の作動片３０および第２の作動片３２のそれぞれの長手方向、すなわち第１の作動片３０の第１の半割杆１２ａを固定する部位と第３の半割杆１４ａを固定する部位とを結ぶ線（前後軸Ｘ1（図８図示））および第２の作動片３２の第２の半割杆１２ｂを固定する部位と第４の半割杆１４ｂを固定する部位とを結ぶ線（前後軸Ｘ2（図８図示））と斜めに交差する方向に架け渡されている。
【００３２】
そして、１対の前記第１の作動片３０及び第２の作動片３２は、前記保持部材１６の長手方向において互いに逆方向に移動させることにより、前記半割杆の組み合わせによる前記第１の綴環１２及び第２の綴環１４が分離され、前記第１の綴環１２及び第２の綴環１４が分離されたときに、前記開閉部材４０は、前記第１の作動片３０と第２の作動片３２とを付勢して、前記第１の半割杆１２ａと第２の半割杆１２ｂ及び第３の半割杆１４ａと第４の半割杆１４ｂとを開放させる。
【００３３】
そして、開閉部材４０の弾性により、作動部材１８を構成する第１の作動片３０及び第２の作動片３２は、第１の綴環１２と第２の綴環１４を手で開き始めたとき、すなわち、第１の綴環１２と第２の綴環１４のそれぞれの綴杆係止部５０を外したとき、伸びていた開閉部材４０の巻線部４４を更に伸ばす方向に作用させ、第１の綴環１２の第１の半割杆１２ａと第２の半割杆１２ｂとが離れる方向（第１の半割杆１２ａはＯ1方向で、第２の半割杆１２ｂはＯ2方向（図８図示））および第２の綴環１４の第３の半割杆１４ａと第４の半割杆１４ｂとが離れる方向（第３の半割杆１４ａはＯ1方向で、第４の半割杆１４ｂはＯ2方向（図８図示））に移動し、第１の作動片３０と第２の作動片３２とをそれぞれ逆方向（第１の作動片３０はＯ1方向で、第２の作動片３２はＯ2方向（図８図示））に移動させるように作用する（図１１参照）。
【００３４】
さらに、開閉部材４０は、第１の半割杆１２ａと第２の半割杆１２ｂとをおよび第３の半割杆１４ａと第４の半割杆１４ｂとを円周方向（図８図示の左右軸Ｙ1および左右軸Ｙ2方向）に引き離すように作用する。ねじられていた開閉部材４０は、図７（Ｂ）（Ｃ）の矢印方向に示すように元の状態に戻ろうとして、第１の半割杆１２ａと第２の半割杆１２ｂとをおよび第３の半割杆１４ａと第４の半割杆１４ｂとを第１の綴環１２及び第２の綴環１４の円周方向（第１の半割杆１２ａおよび第３の半割杆１４ａはＯ3方向、第２の半割杆１２ｂおよび第４の半割杆１４ｂはＯ4方向（図８図示））に引き離すように作用する（図１２（Ａ）参照）。
【００３５】
そして、開閉部材４０は、開閉部材４０の弾性により伸びていた巻線部４４が縮む方向に作用して、作動部材１８を構成する第１の作動片３０は、綴杆係止部５０を閉じる位置の方向（Ｏ1とは反対の方向（図８図示））に移動し、且つ、第２の作動片３２は、綴杆係止部５０を閉じる位置の方向（Ｏ2とは反対の方向（図８図示））に移動する。（図１２（Ｂ）及び１３参照）。
【００３６】
図１４は、本発明の一実施の形態である表紙構造を備えたファイルの図解図であり、（Ａ）は、ファイルの表紙を閉じた状態の平面図解図であり、（Ｂ）は、ファイルの表紙を閉じた状態の一部を断面とした正面図解図である。
【００３７】
この発明の実施の形態であるファイル１０１０は、表紙１０１２と、表紙１０１２に固定された綴じ具１１０とを含む。
【００３８】
綴じ具１１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００３９】
表紙１０１２は、前記綴じ具１１０の保持部材を固定する背表紙１０１４と、前記背表紙１０１４の両端に開閉自在に延設された、表表紙１０１６及び裏表紙１０１８とを備え、図１４に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【００４０】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は背表紙１０１４と裏表紙１０１８との境界に設けられている。
【００４１】
この綴じ具１１０の第１の綴環１１２及び第２の綴環１１４は、Ｏ字型であり、綴じ具の長さ（Ｄ）と、綴じ具の幅（Ｅ）と、綴じ具の高さ（Ｈ）とを有する。
この綴じ具１１０の綴環は、第１の綴環１１２と第２の綴環１１４とからなるが、第１の綴環１１２の第１の半割杆１１２ａと第２の半割杆１１２ｂ及び第２の綴環１１４の第３の半割杆１１４ａと第４の半割杆１１４ｂとがそれぞれ線対称であり、その形状が略同じである。
すなわち、第１の綴環１１２の半割杆１１２ａ及び第２の綴環１１４の半割杆１１４ａは、略半円環状であり、もう一方の（第１の綴環１１２の）半割杆１１２ｂ及び（第２の綴環１１４の）半割杆１１４ｂは略半円環状であり、背表紙１０１４の内側に位置する。
第１の綴環１１２と第２の綴環１１４とは、綴じ具の長さ（Ｄ）方向において適宜な間隔をおいて分かれており、第１の綴環１１２及び第２の綴環１１４ののびる方向、すなわち高さ（Ｈ）方向を有する。第１の綴環１１２及び第２の綴環１１４の高さ（Ｈ）方向は、表紙１０１２の幅（Ａ）方向にのび、且つ表表紙１０１６と裏表紙１０１８の内面と直交し背表紙１０１４の内表面と直交する平面（仮想面）上においてのびる。
【００４２】
綴じ具１１０は、表側薄肉ヒンジ部１０２０及び裏側薄肉ヒンジ部１０２２との間に少し距離をおいて、背表紙１０１４の内面に固定されており、第１の綴環１１２の基部と頂部との間の長さ及び第２の綴環１０１４の基部と頂部との間の長さ（すなわち第１の綴環１１２及び第２の綴環１１４の高さ（Ｈ））は、下側の第２の綴環１１４の方が上側の第１の綴環１１２より長く形成されている。
【００４３】
このファイル１０１０は、綴じ具１１０を長さ方向に立てたとき、被綴じ物Ｓを垂れないようにするための垂れ防止手段１０３０が綴じ具１１０に構成されている。
【００４４】
このファイル１０１０は、綴じ具１１０の長さ方向に立てたとき、被綴じ物Ｓを垂れないようにするための垂れ防止手段１０３０が綴じ具１１０の側に形成されている。
垂れ防止手段１０３０は、表紙１０１２の表表紙１０１６を表側薄肉ヒンジ部１０２０において折り曲げ且つ裏表紙１０１８を裏側薄肉ヒンジ部１０２２において折り曲げて閉じ、ファイル・バインダ類を綴じ具１１０の長さ方向に立てたとき、被綴じ物Ｓの綴じ穴と離れた領域が立てたとき下に位置する表表紙１０１６及び裏表紙１０１８の下端縁より外に出ないように、綴じ杆の高さ（Ｈ）を変えることにより構成される。すなわち、綴じ具１１０は、前記表表紙１０１６及び裏表紙１０１８の端縁に近い第２の綴環１１４における、表紙１０１２が閉じられたときに被綴じ物Ｓを綴じている綴じ杆の領域が、前記端縁より遠い方の第１の綴環１１２より、前記下に位置する下端縁を有する表表紙１０１６及び裏表紙１０１８と直交するように連設された背表紙１０１４の内面より離れた位置において、背表紙１０１４に固定されるように形成されている。
【００４５】
この実施の形態における綴じ具１１０は、表紙１０１２が閉じられたとき被綴じ物Ｓを綴じている綴じ杆すなわち第１の綴環１１２の第１の半割杆１１２ａ及び第２の半割杆１１２ｂ並びに第２の綴環１１４の第３の半割杆１１４ａ及び第４の半割杆１１４ｂの領域が、前記表表紙１０１６及び裏表紙１０１８の下端縁に近い方の第２の綴環１１４の方が遠い方の第１の綴環１１２より背表紙１０１４から離れた位置に位置するように、第２の綴環１１４の第３の半割杆１１４ａ及び第４の半割杆１１４ｂの方が第１の綴環１１２の第１の半割杆１１２ａ及び第２の半割杆１１２ｂより大きいすなわち大きい径に形成されている。
表紙１０１２が閉じられたとき被綴じ物Ｓを綴じている綴じ杆の領域とは、例えば、図１４に示すように、綴じ杆の頂部にある綴杆係止部１５０及びその近傍である。
【００４６】
而して、綴じ穴を２以上穿設された被綴じ物Ｓの綴じ穴に、第１の綴環１１２の第１の半割杆１１２ａ及び第２の半割杆１１２ｂ並びに第２の綴環１１４の第３の半割杆１１４ａ及び第４の半割杆１１４ｂを挿通して、綴じ具１１０に被綴じ物Ｓを綴じられたファイル１０１０を閉じ、且つ、ファイル１０１０を、綴じ具１１０の長さ方向に立てたとき、被綴じ物Ｓの綴じ穴と離れた領域である自由端側の近傍の下端縁Ｓ１が、表表紙１０１６及び裏表紙１０１８の下端縁より垂れ下がることなく、外に出ない。
【００４７】
図１７は、本発明の一実施の形態である表紙構造を備えたファイルの一部を断面とした正面図解図である。図１８は、図１７図示ファイルの表紙を開いた状態の斜視図解図である。
【００４８】
この発明の実施の形態であるファイル１０１０は、表紙１０１２と、表紙１０１２に固定された綴じ具２１０とを含む。
【００４９】
綴じ具２１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００５０】
表紙１０１２は、前記綴じ具２１０の保持部材を固定する背表紙１０１４と、前記背表紙１０１４の両端に開閉自在に延設された、表表紙１０１６及び裏表紙１０１８とを備え、図１７及び３３に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【００５１】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は、背表紙１０１４と裏表紙１０１８との境界に設けられている。
【００５２】
この綴じ具２１０の第１の綴環２１２及び第２の綴環２１４は、Ｄ字型であり、綴じ具の長さ（Ｄ）と、綴じ具の幅（Ｅ）と、綴じ具の高さ（Ｈ）とを有する。
この綴じ具２１０の綴環は、第１の綴環２１２と第２の綴環２１４とからなるが、第１の綴環２１２の第１の半割杆２１２ａと第２の半割杆２１２ｂ及び第２の綴環２１４の第３の半割杆２１４ａと第４の半割杆２１４ｂとがそれぞれ線対称ではなく、その形状が異なる。
すなわち、第１の綴環２１２の第１の半割杆２１２ａ及び第２の綴環２１４の第３の半割杆２１４ａは、略コ字型であり、もう一方の（第１の綴環２１２の）第２の半割杆２１２ｂ及び（第２の綴環２１４の）第４の半割杆２１４ｂは、略半円形状であり、背表紙１０１４の側に位置する。
第１の綴環２１２と第２の綴環２１４とは、綴じ具の長さ（Ｄ）方向において適宜な間隔をおいて分かれており、第１の綴環２１２及び第２の綴環２１４ののびる方向、すなわち高さ（Ｈ）方向を有する。第１の綴環２１２及び第２の綴環２１４の高さ（Ｈ）方向は、表紙１０１２の幅（Ａ）方向にのび、且つ表表紙１０１６と裏表紙１０１８の内面と直交し背表紙１０１４の内表面並びに表側薄肉ヒンジ部１０２０及び裏側薄肉ヒンジ部１０２２と斜交する平面（仮想面）上においてのびる。
【００５３】
綴じ具２１０は、表側薄肉ヒンジ部１０２０及び裏側薄肉ヒンジ部１０２２との間に少し距離をおいて、裏表紙１０１８の内面に固定されており、第１の綴環２１２の基部と頂部との間の長さ及び第２の綴環２１４の基部と頂部との間の長さ（すなわち第１の綴環２１２及び第２の綴環２１４の高さ（Ｈ））は、両方略同等に形成されている。
【００５４】
このファイル１０１０は、綴じ具２１０の長さ方向に立てたとき、被綴じ物Ｓを垂れないようにするための垂れ防止手段１０３０が綴じ具２１０の側に形成されている。
垂れ防止手段１０３０は、表紙１０１２の表表紙１０１６を表側薄肉ヒンジ部１０２０において折り曲げ且つ裏表紙１０１８を裏側薄肉ヒンジ部１０２２において折り曲げて閉じ、ファイル・バインダ類を綴じ具２１０の長さ方向に立てたとき、被綴じ物Ｓの綴じ穴と離れた領域が立てたとき下に位置する表表紙１０１６及び裏表紙１０１８の下端縁より外に出ないように、綴じ杆の表紙１０１２への取り付け位置を変えることにより構成される。すなわち、綴じ具２１０は、前記表表紙１０１６及び裏表紙１０１８の端縁に近い第２の綴環２１４における、表紙１０１２が閉じられたときに被綴じ物Ｓを綴じている綴じ杆の領域が、前記端縁より遠い方の第１の綴環２１２より、前記下に位置する下端縁を有する表表紙１０１６及び裏表紙１０１８と直交するように連設された背表紙１０１４の内面より離れた位置において、表紙１０１２に固定されている。
【００５５】
この実施の形態における綴じ具２１０は、表紙１０１２が閉じられたとき被綴じ物Ｓを綴じている綴じ杆すなわち第１の綴環２１２の第１の半割杆２１２ａ並びに第２の綴環２１４の第３の半割杆２１４ａの領域が、前記表表紙１０１６及び裏表紙１０１８の下端縁に近い方の第２の綴環２１４の方が遠い方の上側の第１の綴環２１２より背表紙１０１４から離れた位置に位置するように、下側の第２の綴環２１４の第３の半割杆２１４ａ及び第４の半割杆２１４ｂの方が上側の第１の綴環２１２の第１の半割杆２１２ａ及び第２の半割杆２１２ｂより背表紙１０１４から遠ざかるように、綴じ具２１０全体が背表紙１０１４と斜交するように形成されている。
表紙１０１２が閉じられたとき被綴じ物Ｓを綴じている綴じ杆の領域とは、例えば、図１７に示すように、第１の綴環２１２の第１の半割杆２１２ａ及び第２の綴環２１４の第３の半割杆２１４ａの垂直部分である。
【００５６】
而して、綴じ穴を２以上穿設された被綴じ物Ｓの綴じ穴に、第１の綴環２１２の第１の半割杆２１２ａ及び第２の半割杆２１２ｂ並びに第２の綴環２１４の第３の半割杆２１４ａ及び第４の半割杆２１４ｂを挿通して、綴じ具２１０に被綴じ物Ｓを綴じられたファイル１０１０を閉じ、且つ、ファイル１０１０を、綴じ具２１０の長さ方向に立てたとき、被綴じ物Ｓの綴じ穴と離れた領域である自由端側の近傍の下端縁が、表表紙１０１６及び裏表紙１０１８の下端縁より垂れ下がることなく、外に出ない。
【００５７】
図２０は、本発明の一実施の形態である表紙構造を備えたファイルの図解図であり、（Ａ）は、ファイルの表紙を閉じた状態の平面図解図であり、（Ｂ）は、ファイルの表紙を閉じた状態の一部を断面とした正面図解図である。
【００５８】
この発明の実施の形態であるファイル１０１０は、表紙１０１２と、表紙１０１２に固定された綴じ具３１０とを含む。
【００５９】
綴じ具３１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００６０】
表紙１０１２は、前記綴じ具３１０の保持部材を固定する背表紙１０１４と、前記背表紙１０１４の両端に開閉自在に延設された、表表紙１０１６及び裏表紙１０１８とを備え、図２０及び３３に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【００６１】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は、背表紙１０１４と裏表紙１０１８との境界に設けられている。
【００６２】
この綴じ具３１０の第１の綴環３１２及び第２の綴環３１４は、Ｄ字型であり、綴じ具の長さ（Ｄ）と、綴じ具の幅（Ｅ）と、綴じ具の高さ（Ｈ）とを有する。
この綴じ具３１０の綴環は、第１の綴環３１２と第２の綴環３１４とからなるが、第１の綴環３１２の第１の半割杆３１２ａと第２の半割杆３１２ｂ及び第２の綴環３１４の第３の半割杆３１４ａと第４の半割杆３１４ｂとがそれぞれ線対称ではなく、その形状が異なる。
すなわち、第１の綴環３１２の半割杆３１２ａ及び第２の綴環３１４の半割杆３１４ａは、略コ字型であり、もう一方の（第１の綴環３１２の）半割杆３１２ｂ及び（第２の綴環３１４の）半割杆３１４ｂは、略半円形状であり、背表紙１０１４の側に位置する。
第１の綴環３１２と第２の綴環３１４とは、綴じ具の長さ（Ｄ）方向において適宜な間隔をおいて分かれており、第１の綴環３１２及び第２の綴環３１４ののびる方向、すなわち高さ（Ｈ）方向を有する。第１の綴環３１２及び第２の綴環３１４の高さ（Ｈ）方向は、表紙１０１２の幅（Ａ）方向にのび、且つ表表紙１０１６と裏表紙１０１８の内面と直交し背表紙１０１４の内表面並びに表側薄肉ヒンジ部１０２０及び裏側薄肉ヒンジ部１０２２と直交する平面（仮想面）上においてのびる。
【００６３】
綴じ具３１０は、表側薄肉ヒンジ部１０２０及び裏側薄肉ヒンジ部１０２２との間に少し距離をおいて、裏表紙１０１８の内面に固定されており、第１の綴環３１２の基部と頂部との間の長さ及び第２の綴環３１４の基部と頂部との間の長さ（すなわち第１の綴環３１２及び第２の綴環３１４の高さ（Ｈ））は、第２の綴環３１４の方が第１の綴環３１２より全体的に大きく形成されている。
【００６４】
このファイル１０１０は、綴じ具３１０の長さ方向に立てたとき、被綴じ物Ｓを垂れないようにするための垂れ防止手段１０３０が綴じ具３１０の側に形成されている。
垂れ防止手段１０３０は、表紙１０１２の表表紙１０１６を表側薄肉ヒンジ部１０２０において折り曲げ且つ裏表紙１０１８を裏側薄肉ヒンジ部１０２２において折り曲げて閉じ、ファイル・バインダ類を綴じ具３１０の長さ方向に立てたとき、被綴じ物Ｓの綴じ穴と離れた領域が立てたとき下に位置する表表紙１０１６及び裏表紙１０１８の下端縁より外に出ないように、綴じ杆の大きさすなわち綴じ具の幅（Ｅ）を変えることにより構成される。すなわち、綴じ具３１０は、前記表表紙１０１６及び裏表紙１０１８の端縁に近い第２の綴環３１４における、表紙１０１２が閉じられたときに被綴じ物Ｓを綴じている綴じ杆の領域が、前記端縁より遠い方の第１の綴環３１２より、前記下に位置する下端縁を有する表表紙１０１６及び裏表紙１０１８と直交するように連設された背表紙１０１４の内面より離れた位置において、表紙１０１２に固定されるように、形成されている。
【００６５】
この実施の形態における綴じ具３１０は、表紙１０１２が閉じられたとき被綴じ物Ｓを綴じている綴じ杆すなわち第１の綴環３１２の第１の半割杆３１２ａ並びに第２の綴環３１４の第３の半割杆３１４ａの領域が、前記表表紙１０１６及び裏表紙１０１８の下端縁に近い方の第２の綴環３１４の方が遠い方の上側の第１の綴環３１２より背表紙１０１４から離れた位置に位置するように、下側の第２の綴環３１４の第３の半割杆３１４ａ及び第４の半割杆３１４ｂの方が上側の第１の綴環３１２の第１の半割杆３１２ａ及び第２の半割杆３１２ｂより背表紙１０１４から遠ざかるように、第２の綴環３１４の方が第１の綴環３１２より全体的に大きく形成されている。
表紙１０１２が閉じられたとき被綴じ物Ｓを綴じている綴じ杆の領域とは、例えば、図２０に示すように、第１の綴環３１２の第１の半割杆３１２ａ及び第２の綴環３１４の第３の半割杆３１４ａの垂直部分である。
【００６６】
而して、綴じ穴を２以上穿設された被綴じ物Ｓの綴じ穴に、第１の綴環３１２の第１の半割杆３１２ａ及び第２の半割杆３１２ｂ並びに第２の綴環３１４の第３の半割杆３１４ａ及び第４の半割杆３１４ｂを挿通して、綴じ具３１０に被綴じ物Ｓを綴じられたファイル１０１０を閉じ、且つ、ファイル１０１０を、綴じ具３１０の長さ方向に立てたとき、被綴じ物Ｓの綴じ穴と離れた領域である自由端側の近傍の下端縁Ｓ１が、表表紙１０１６及び裏表紙１０１８の下端縁より垂れ下がることなく、外に出ない。
【００６７】
図２２は、本発明の一実施の形態である表紙構造を備えたファイルの図解図であり、（Ａ）は、ファイルの表紙を閉じた状態の平面図解図であり、（Ｂ）は、ファイルの表紙を閉じた状態の一部を断面とした正面図解図である。図２３は、図２２図示ファイルの表紙を開いた状態の斜視図解図である。
【００６８】
この発明の実施の形態であるファイル１０１０は、表紙１０１２と、表紙１０１２に固定された綴じ具４１０とを含む。
【００６９】
綴じ具４１０に綴じられる被綴じ物たる用箋は、綴じ穴の直径は約６ｍｍ，綴じ穴の中心から中心までの間隔は約８０ｍｍ，用箋の端から綴じ穴の中心まで１２ｍｍ，用箋のヘリの中央に対し綴じ穴は対称の位置にある。
【００７０】
表紙１０１２は、前記綴じ具４１０の保持部材を固定する背表紙１０１４と、前記背表紙１０１４の両端に開閉自在に延設された、表表紙１０１６及び裏表紙１０１８とを備え、図２２，２３及び３４に示すように、表表紙１０１６と裏表紙１０１８が背表紙１０１４に対して立設状態となり対向するように連設され、幅（Ａ）と高さ（Ｂ）と背幅（Ｃ）とを有する。
そして、表表紙１０１６及び裏表紙１０１８は、背表紙１０１４寄りに高さ（Ｂ）方向にのびる開閉用の表側薄肉ヒンジ部１０２０及び裏側薄肉ヒンジ部１０２２が設けられ、表側薄肉ヒンジ部１０２０と裏側薄肉ヒンジ部１０２２とは、平行でその間において背幅（Ｃ）を構成する。
【００７１】
表表紙１０１６の開閉を可能にする表側薄肉ヒンジ部１０２０及び裏表紙１０１８の開閉を可能にする裏側薄肉ヒンジ部１０２２は、断面略Ｖ字溝であり、表側薄肉ヒンジ部１０２０と裏側薄肉ヒンジ部１０２２とは、それぞれ平行である。表側薄肉ヒンジ部１０２０は、背表紙１０１４と表表紙１０１６との境界に設けられており、裏側薄肉ヒンジ部１０２２は背表紙１０１４と裏表紙１０１８との境界に設けられている。
【００７２】
この綴じ具４１０は、パイプ型綴じ具であり、綴じ具の長さ（Ｄ）と、綴じ具の幅（Ｅ）と、綴じ具の高さ（Ｈ）とを有する。
この綴じ具４１０の綴じ杆は、第１の綴じ杆６０２ａ，６０６ａと第２の綴じ杆６０２ｂ，６０６ｂとからなる。
すなわち、第１の綴じ杆６０２ａ，６０６ａ及び第２の綴じ杆６０２ｂ，６０６ｂは、背表紙１０１４の内側に位置する。
第１の綴じ杆６０２ａ，６０６ａと第２の綴じ杆６０２ｂ，６０６ｂとは、綴じ具の長さ（Ｄ）方向において適宜な間隔をおいて分かれており、第１の綴じ杆６０２ａ，６０６ａ及び第２の綴じ杆６０２ｂ，６０６ｂのベース４２０との距離、すなわち高さ（Ｈ）方向を有する。第１の綴じ杆６０２ａ，６０６ａ及び第２の綴じ杆６０２ｂ，６０６ｂの幅（Ｅ）方向は、表紙１０１２の幅（Ａ）方向にのび、且つ表表紙１０１６と裏表紙１０１８の内面と直交し背表紙１０１４の内表面と直交する平面（仮想面）上においてのびる。
【００７３】
綴じ具４１０の第１の綴じ杆６０２ａ，６０６ａ及び第２の綴じ杆６０２ｂ，６０６ｂは、表側薄肉ヒンジ部１０２０及び裏側薄肉ヒンジ部１０２２との間に少し距離をおいて、背表紙１０１４より離れた位置において、表表紙１０１６と裏表紙１０１８との間に架け渡されるように構成されており、第１の綴じ杆６０２ａ，６０６ａと背表紙１０１４との間の長さ及び第２の綴じ杆６０２ｂ，６０６ｂと背表紙１０１４との間の長さは、下側の第２の綴じ杆６０２ｂ，６０６ｂの方が上側の第１の綴じ杆６０２ａ，６０６ａより長く形成されている。
【００７４】
このファイル１０１０は、綴じ具４１０を長さ方向に立てたとき、被綴じ物Ｓを垂れないようにするための垂れ防止手段１０３０が綴じ具４１０に構成されている。
【００７５】
このファイル１０１０は、綴じ具４１０の長さ方向に立てたとき、被綴じ物Ｓを垂れないようにするための垂れ防止手段１０３０が綴じ具４１０の側に形成されている。
垂れ防止手段１０３０は、表紙１０１２の表表紙１０１６を表側薄肉ヒンジ部１０２０において折り曲げ且つ裏表紙１０１８を裏側薄肉ヒンジ部１０２２において折り曲げて閉じ、ファイル・バインダ類を綴じ具４１０の長さ方向に立てたとき、被綴じ物Ｓの綴じ穴と離れた領域が立てたとき下に位置する表表紙１０１６及び裏表紙１０１８の下端縁より外に出ないように、綴じ杆の高さ位置を変えることにより構成される。すなわち、綴じ具４１０は、前記表表紙１０１６及び裏表紙１０１８の端縁に近い第２の綴じ杆６０２ｂ，６０６ｂにおける、表紙１０１２が閉じられたときに被綴じ物Ｓを綴じている綴じ杆の領域が、前記端縁より遠い方の第１の綴じ杆６０２ａ，６０６ａより、前記下に位置する下端縁を有する表表紙１０１６及び裏表紙１０１８と直交するように連設された背表紙１０１４の内面より離れた位置において、表紙１０１２に固定されている。
【００７６】
この実施の形態における綴じ具４１０は、表紙１０１２が閉じられたとき被綴じ物Ｓを綴じている綴じ杆すなわち第１の綴じ杆６０２ａ，６０６ａ第２の綴じ杆６０２ｂ，６０６ｂの領域が、前記表表紙１０１６及び裏表紙１０１８の下端縁に近い方の第２の綴じ杆６０２ｂ，６０６ｂの方が遠い方の第１の綴じ杆６０２ａ，６０６ａより背表紙１０１４から離れた位置に位置するように、第２の綴じ杆６０２ｂ，６０６ｂの方が第１の綴じ杆６０２ａ，６０６ａより背表紙から遠くなるように形成されている。
【００７７】
而して、綴じ穴を２以上穿設された被綴じ物Ｓの綴じ穴に、第１の綴じ杆６０２ａ，６０６ａ及び第２の綴じ杆６０２ｂ，６０６ｂを挿通して、綴じ具４１０に被綴じ物Ｓを綴じられたファイル１０１０を閉じ、且つ、ファイル１０１０を、綴じ具４１０の長さ方向に立てたとき、被綴じ物Ｓの綴じ穴と離れた領域である自由端側の近傍の下端縁Ｓ１が、表表紙１０１６及び裏表紙１０１８の下端縁Ｓ１より垂れ下がることなく、外に出ない。
【００７８】
引き続き、綴じ具４１０について、主として図２４ないし３１に基づき、さらに詳しく説明する。
【００７９】
綴じ具４１０は、背表紙１０１４に固定するための固定手段たるベース４２０を含む。
ベース４２０は、ＡＢＳ樹脂などの合成樹脂などで構成されるほぼ方形板状の基板４２２を含む。
【００８０】
基板４２２は、例えばリベットなどの固定具を、基板４２２に貫設された取付孔４２２ａに挿入し、表紙１０１２を構成するシートと固定することによって、背表紙１０１４に固定される。
【００８１】
ベース４２０は、平面視略長方状で、長さ方向を備え、基板４２２の幅方向の一方側（裏表紙１０１８側、Ｂ面側）端部には、傾斜部４２４が形成され、且つ、基板４２２の幅方向の他方側（表表紙１０１６側、Ａ面側）端部には、傾斜部４２６が形成され、断面略Ｕ字型に形成されている。
この実施の形態においては、基板４２２の幅方向の一方側（裏表紙１０１８側、Ｂ面側）端部に、支持部４２８が上方に向けて立設され、該支持部４２８の内側に前記傾斜部４２４が形成され、且つ、基板４２２の幅方向の他方側（表表紙１０１６側、Ａ面側）端部に、前記支持部４２８と同様に上方に向けて支持部４３０が立設され、その内側面に前記傾斜部４２６が形成されている。
一方（Ｂ面側）の傾斜部４２４及び支持部４２８と他方（Ａ面側）の傾斜部４２６および支持部４３０とは対称に形成され、後述する綴杆体６００をその両端から支持するように形成されている。
【００８２】
一方（Ｂ面側）の支持部４２８は、幅方向におけるその外側に第１枢支部４３２、第２枢支部４３４、第３枢支部４３６及び第４枢支部４３８が設けられる。
又、他方（Ａ面側）の支持部４３０は、幅方向におけるその外側に第１枢支部４４０、第２枢支部４４２、第３枢支部４４４及び第４枢支部４４６が設けられている。
第１枢支部４３２と第３枢支部４３６とは、手前側に並んで設けられ、第２枢支部４３４と第４枢支部４３８とは向こう側に並んで設けれ、第１枢支部４３２と第３枢支部４３６との間には、収容部４４８が形成され、又、第２枢支部４３４と第４枢支部４３８との間には、収容部４５０が設けられている。
又、第１枢支部４４０と第３枢支部４４４とは手前側に並んで設けられ、第２枢支部４４２と第４枢支部４４６とは向こう側に並んで設けられ、第１枢支部４４０と第３枢支部４４４との間には、収容部４５２が形成され、第２枢支部４４２と第４枢支部４４６との間には、収容部４５４が形成されている。
【００８３】
一方（Ｂ面側）の支持部４２８は、基板４２２の中央近傍に、凹部４５８が設けられ、後述する弾発部５３０が収容される。
他方（Ａ面側）の支持部４３０は、基板４２２の中央近傍に、凹部４６０が、後述する弾発部５３２が収容される。
【００８４】
固定手段たるベース４２０は、用箋等の被綴じ物Ｓの綴じ孔（２穴）に挿入され、保持する綴杆体６００を固定するように構成され、綴杆体６００は、用箋等の被綴じ物Ｓの綴じ孔（２穴）に挿入される前後一対の外側挿入部６０２を有する合成樹脂製第１の本体６０４と、被綴じ物Ｓの綴じ孔（２穴）に挿入されるための外側挿入部６０２に連架される上下一対の内側挿入部６０６を有する合成樹脂製第２の本体６０８とを備える。
前記一方の支持部４２８と他方の支持部４３０との間隔は、連架された外側挿入部６０２と内側挿入部６０６との間隔を縮めた状態で第１の本体６０４と第２の本体６０８とを固定できるようにするために、その間に、第１の本体６０４と第２の本体６０８との間隔に対応する長さが設けられている。
【００８５】
一方（Ｂ面側）の第１の本体６０４は、外側挿入部６０２を水平方向に支持するための、且つ固定手段の基板４２２より適宜な高さをおいて固定するための板状の立設部６１０を備える。立設部６１０は、基板４２２より外側挿入部６０２を適宜な高さにおいて支持するための高さを備え、且つ、外側挿入部６０２を、たとえばＪＩＳ（日本工業規格）において規定された２穴の綴じ孔の間隔に対応した上下２本の綴じ杆、すなわち、一対の第１の綴じ杆６０２a と第２の綴じ杆６０２ｂとを適宜な間隔をおいて支持するための長さを備えている。
又、他方（Ａ面側）の第２の本体６０８は、内側挿入部６０６を水平方向に支持するための、且つ固定手段の基板４２２より適宜な高さをおいて固定するための板状の立設部６１２を備える。立設部６１２は、基板４２２より内側挿入部６０６を適宜な高さにおいて支持するための高さを備え、且つ、内側挿入部６０６を、たとえばＪＩＳ（日本工業規格）において規定された２穴の綴じ孔の間隔に対応した上下２本の綴じ杆、すなわち、一対の第１の綴じ杆６０６ａと第２の綴じ杆６０６ｂとを適宜な間隔をおいて支持するための長さを備えている。
【００８６】
この実施の形態においては、一方の裏表紙１０１８側（Ｂ面側）の外側挿入部６０２を構成する第１の綴じ杆６０２ａ及び第２の綴じ杆６０２ｂは、中空部を有するパイプ状であり、他方の表表紙１０１６側（Ａ面側）の内側挿入部６０６を構成する第１の綴じ杆６０６ａ及び第２の綴じ杆６０６ｂは、前記外側挿入部６０２の中空部に挿入されるように形成された棒状である。
【００８７】
外側挿入部６０２は、立設部６１０と合成樹脂で一体形成されている。
第２の綴じ杆６０６ｂは、前後一対の第１の綴じ杆６０６ａ及び第２の綴じ杆６０６ｂと、その第１の綴じ杆６０６ａ及び第２の綴じ杆６０６ｂとを連結する連結杆部６０６ｃとからなる平面視略コ字型の金属製綴杆素材６０６Ａを、立設部６１２に貫設された第１の綴じ杆６０６ａ及び第２の綴じ杆６０６ｂを嵌挿するための貫通孔６１２ａ及び貫通孔６１２ｂに嵌挿して固定されて、立設部６１２より垂設されるように形成されている。
【００８８】
第１の本体６０４の立設部６１０の下部には、後述するように、固定手段たる支持部４２８の枢軸４８０に回転自在に支持されるための枢軸固定部６１４が、ベース４２０の長さ方向（表紙１０１２を垂直に立てたときの長手方向)において二箇所に分かれて、一対突設されている。
又、第２の本体６０８の立設部６１２の下部にも、前記立設部６１０と同様に、固定手段たる支持部４３０の枢軸４８２に回転自在に支持されるための枢軸固定部６１６が、ベース４２０の長さ方向（表紙１０１２を垂直に立てたときの表紙の高さ方向)において二箇所に分かれて、一対突設されている。
【００８９】
又、第１の本体６０４及び第２の本体６０８は、連架された外側挿入部６０２と内側挿入部６０６との間隔を縮めた状態で第１の本体６０４及び第２の本体６０８を固定手段たるベース４２０に固定する固定手段として、第１の本体６０４に設けられた係止部６１８と第２の本体６０８に設けられた係止部６２０とを含む。
第１の本体６０４の係止部６１８は、立設部６１０の上部に適宜な長さと深さを有する凹みをもって形成され、その上面に突起６１８ａが突設されている。
又、第２の本体６０８の係止部６２０は、立設部６１２の上部に適宜な長さと深さを有する凹みをもって形成され、その上面に突起が形成されている。
【００９０】
この実施の形態においては、内側挿入部６０６を構成する連結杆部６０６ｃが立設部６１２に平行に係止部６２０に固定されており、該連結杆部６０６ｃが突起を形成するように構成されている。
【００９１】
次に、固定手段たるベース４２０に綴杆体６００を固定する係合手段４９０について説明する。
係合手段４９０は、第１の本体６０４及び第２の本体６０８をベース４２０に固定する固定手段を構成し、係合手段４９０は、前記第１の本体６０４の上部及び側部に係合される合成樹脂製第１の係合側板４９２と、前記第２の本体６０８の上部及び側部に係合される合成樹脂製第２の係合側板４９４とを有する。
前記裏表紙１０１８側（Ｂ面側）の第１の係合側板４９２は、固定手段に設けられた円柱状金属製枢軸４８０に揺動自在に固定される。また、表表紙１０１６側（Ａ面側）の第２の係合側板４９４は、固定手段に設けられた円柱状金属製枢軸４８２に揺動自在に固定される。
【００９２】
裏表紙１０１８側（Ｂ面側）の第１の係合側板４９２は、第１の本体６０４の長さ方向にのびる長さを有する係合体本体５００の上部において内側（ベース４２０の幅方向における内側）に向けて突出されてなる上部係止部５０４と、係合体本体５００の下部に設けられた第１枢支部５０８、第２枢支部５１０、第３枢支部５１２及び第４枢支部５１４とを備える。
表表紙１０１６側（Ａ面側）の第１の係合側板４９４は、第２の本体６０８の長さ方向にのびる長さを有する係合体本体５０２の上部において内側（ベース４２０の幅方向における内側）に向けて突出されてなる上部係止部５０６と、係合体本体５０２の下部に設けられた第１枢支部５１６、第２枢支部５１８、第３枢支部５２０及び第４枢支部５２２とを備える。
【００９３】
裏表紙１０１８側（Ｂ面側）の第１の係合側板４９２は、その下部において適宜な間隔をあけて一対設けられた第１枢支部５０８、第２枢支部５１０、第３枢支部５１２及び第４枢支部５１４により、固定手段の枢軸４８０に回動自在に枢支される。
表表紙１０１６側（Ａ面側）の第２の係合側板４９４は、その下部において適宜な間隔をあけて一対設けられた第１枢支部５１６、第２枢支部５１８、第３枢支部５２０及び第４枢支部５２２により、固定手段の枢軸４８２に回動自在に枢支される。
【００９４】
第１の係合側板４９２の上部係止部５０４は、係合体本体５００の上端において、ベース４２０の幅方向における内側に向けて、突設され、第３枢支部５１２及び第４枢支部５１４より長い幅を備えており、その内端が弾発部５３０の上面に達するように形成されている。
上部係止部５０４の下面は、第１の本体６０４の係止部６１８の突起６１８ａに係止されるための突条５０４ａが突設されている。
【００９５】
第２の係合側板４９４の上部係止部５０６は、係合体本体５０２の上端において、ベース４２０の幅方向における内側に向けて、突設され、第３枢支部５２０及び第４枢支部５２２より長い幅を備えており、その内端が弾発部５３２の上面に達するように形成されている。
上部係止部５０６の下面は、第２の本体６０８の係止部６２０の突起たる連結杆部６０６ｃに係止されるための突条５０６ａが突設されている。
【００９６】
枢軸４８０は、第１の係合側板４９２の第１枢支部５０８の枢軸孔、ベース４２０の第１枢支部４３２の枢軸孔、ベース４２０の第３枢支部４３６の枢軸孔、第１の係合側板４９２の第３枢支部５１２の枢軸孔、第１の係合側板４９２の第４枢支部５１４の枢軸孔、ベース４２０の第４枢支部４３８の枢軸孔、ベース４２０の第２枢支部４３４の枢軸孔、第１の係合側板４９２の第２枢支部５１０の枢軸孔に嵌挿されている。
【００９７】
枢軸４８２は、第２の係合側板４９４の第１枢支部５１６の枢軸孔、ベース４２０の第１枢支部４４０の枢軸孔、ベース４２０の第３枢支部４４４の枢軸孔、第２の係合側板４９４の第３枢支部５２０の枢軸孔、第２の係合側板４９４の第４枢支部５２２の枢軸孔、ベース４２０の第４枢支部４４６の枢軸孔、ベース４２０の第２枢支部４４２の枢軸孔、第２の係合側板４９４の第２枢支部５１８の枢軸孔に嵌挿されている。
【００９８】
第１の本体６０４及び第２の本体６０８を固定手段たるベース４２０に固定するために、係合手段４９０を構成する第１の係合側板４９２は、中央に、第１の本体６０４を保持するための弾発部５３０が形成され、且つ第２の係合側板４９４は、中央に、第２の本体６０８を保持するための弾発部５３２が形成されている。
弾発部５３０は、外側挿入部６０２と内側挿入部６０６とを縮めた状態で第１の本体６０４を固定手段たるベース４２０に固定するために、第１の本体６０４の上部に係合した第１の係合側板４９２を上側（上部係止部５０４側）にむけて付勢する。
弾発部５３２は、外側挿入部６０２と内側挿入部６０６とを縮めた状態で第２の本体６０８を固定手段たるベース４２０に固定するために、第２の本体６０８の上部に係合した第２の係合側板４９４を上側（上部係止部５０６側）にむけて付勢する。
【００９９】
弾発部５３０は、上部係止部５０４と対向して、弾発部５３０と上部係止部５０４と協働して、第１の本体６０４の係止部６１８と立設部６１０の枢軸４８０側の端縁とを挟持する。
弾発部５３２は、上部係止部５０６と対向しており、弾発部５３２と上部係止部５０６と協働して、第２の本体６０８の係止部６２０と立設部６１２の枢軸４８２側の端縁とを挟持する。
第１の綴じ杆６０６ａと第２の綴じ杆６０６ｂを固定部材たる第１係合側板４９２及び第２係合側板４９４に固定したとき、弾発部５３０と上部係止部５０４とは第１の本体６０４を上下から挟持し、且つ弾発部５３２と上部係止部５０６とは、第２の本体６０８を上下から挟持するように構成されている。
【０１００】
ファイル４１２に用箋などの被綴じ物Ｓを保持するには、綴杆体６００を固定手段から外した状態で、被綴じ物Ｓの綴じ孔に綴杆体６００の外側挿入部６０２に挿通する。このとき、外側挿入部６０２の先端部は斜めになっているため、容易に書類等の被綴じ物Ｓの綴じ孔に外側挿入部６０２を挿通することができる。
次に、外側挿入部６０２内に内側挿入部６０６を構成する棒状の内側の挿入部たる第１の綴じ杆６０６ａと第２の綴じ杆６０６ｂを挿入し、第１の本体６０４と第２の本体６０８との間に被綴じ物Ｓを保持させる。
次に、第１の本体６０４及び第２の本体６０８を、被綴じ物Ｓを保持した状態で、固定手段たる係合手段４９０内にその上方から嵌め込む。
このとき、第１の本体６０４および第２の本体６０８の外側面が係合手段４９０の第１の係合側板４９２および第２の係合側板４９４の内側面の傾斜に沿って、ベース４２０に向けて、嵌め込まれる。
そして、第１の本体６０４及び第２の本体６０８の下部に形成された枢軸固定部６１４及び枢軸固定部６１６を、固定手段の支持部４２８の枢軸４８０および支持部４３０の枢軸４８２に係合させる。
【０１０１】
この実施の形態においては、綴杆体６００の枢軸固定部６１４は、固定手段の支持部４２８の第１枢支部４３２と第３枢支部４３６との間に形成された収容部４４８及び第２枢支部４３４と第４枢支部４３８との間に形成された収容部４５０内に嵌め込まれ、枢軸４８０に係合するように構成されている。
綴杆体６００の枢軸固定部６１６は、固定手段の支持部４３０の第１枢支部４４０と第３枢支部４４４との間に形成された第３収容部４５２及び第２枢支部４４２および第４枢支部４４６の間に形成された第４収容部４５４内に嵌め込まれ、枢軸４８２に係合するように構成されている。
綴杆体６００が係合手段４９０に嵌め込まれるとき、第１の係合側板４９２及び第２の係合側板４９４は、弾発部５３０および弾発部５３２の付勢力に抗して、その上部を押し開くことができ、綴杆体６００が下方に向けて嵌め込まれるように構成されている。
【０１０２】
そして、綴杆体６００の第１の本体６０４及び第２の本体６０８は、その下の縁が、弾発部５３０及び弾発部５３２の上面に突き当る。
一方、第１の係合側板４９２及び第２の係合側板４９４は、綴杆体６００に嵌め込まれるとき、第１の係合側板４９２及び第２の係合側板４９４の弾性により上方が開いた状態になった後、上方の間隔が縮まり、第１の本体６０４の係止部６１８及び第２の本体６０８の係止部６２０に係合する。
すなわち、第１の係合側板４９２の上部係止部５０４と第２の係合側板４９４の上部係止部５０６とは、それぞれ第１の本体６０４の係止部６１８及び第２の本体６０８の係止部６２０に係合し、それぞれ第１の本体６０４の立設部６１０の側部及び第２の本体６０８の立設部６１２の側部を保持する。このとき、第１の係合側板４９２の上部係止部５０４は、第１の本体６０４の係止部６１８の突起６１８ａに係止され、第２の係合側板４９４の上部係止部５０６は、第２の本体６０８の係止部６２０の突起たる連結杆部６０６ｃに係止される。
而して、第１の係合側板４９２の上部係止部５０４の下縁の突条５０４ａ及び第２の係合側板４９４の上部係止部５０６の下縁の突条５０６ａが、第１の本体６０４の係止部６１８の突起６１８ａ及び第２の本体６０８の係止部６２０の突起たる連結杆部６０６ｃの上部から内側縁にかけての面に係合し、且つ第１の本体６０４の枢軸固定部６１４及び第２の本体６０８の枢軸固定部６１６が枢軸４８０及び枢軸４８２に係合することにより、綴杆体６００は固定手段たるベース４２０に連結され固定される。
【０１０３】
ファイル４１２に保持した用箋などの被綴じ物Ｓを取り外すときには、裏表紙１０１８側（Ｂ面側）の係合手段４９０の第１の係合側板４９２の上部を外側に向けて引くことにより、第１の係合側板４９２の上部係止部５０４を綴杆体６００の係止部６１８の突起６１８ａから外し、綴杆体６００の第１の本体６０４を上方にむけて引けば、第１の本体６０４を固定手段から外すことができる。
また、綴杆体６００の表表紙１０１６側（Ａ面側）の第２の本体６０８を固定手段から外す場合、係合手段４９０の第２の係合側板４９４の上部を外側に向けて引くことにより、第２の係合側板４９４の上部係止部５０６を綴杆体６００の係止部６２０の突起たる連結杆部６０６ｃから外し、綴杆体６００の第２の本体６０８を上方に持ち上げれば、第２の本体６０８を固定手段から外すことができる。
【０１０４】
この発明は、前記実施の形態の綴じ具に限らず、この発明の思想に基づき種々変更することが可能である。
例えば、パイプ型綴じ具の綴じ杆の位置を前記実施の形態のように第１の綴じ杆６０２ａ，６０６ａと第２の綴じ杆６０２ｂ，６０６ｂとの位置を直接考えるのではなく、図３に示す押し上げ片９０をベース４２０の下面と背表紙１０１４との間に介在させて第１の綴じ杆６０２ａ，６０６ａと背表紙１０１４の内面との間隔と第２の綴じ杆６０２ｂ，６０６ｂと背表紙１０１４の内面との間隔を異なるようにしてもよい。
【産業上の利用可能性】
【０１０５】
この発明にかかる綴じ具は、たとえば２穴用や４穴用など多穴用のファイル・バインダ類の綴じ具に適用できる。
【図面の簡単な説明】
【０１０６】
【図１】本発明の一実施の形態である表紙構造を備えたファイルの一部を断面とした正面図解図である。
【図２】図１図示ファイルの表紙を閉じた状態の断面図解図である。
【図３】図２に示す綴じ具の分解斜視図解図である。
【図４】本発明にかかる一実施の形態である綴具の一例を示す斜視図である。
【図５】保持部材の斜視図である。
【図６】作動部材及び開閉部材の斜視図解図である。
【図７】開閉部材の側面図解図であり、（Ａ）は、元の状態の側面図解図であり、（Ｂ）は、巻線部の円周方向に力を加えて作動片に固定された状態の側面図解図であり、（Ｃ）は、巻線部の円周方向に力を加えて作動片に固定された状態の側面図解図である。
【図８】綴じ杆及び作動部材の図解図であり、（Ａ）は、閉じた状態における綴じ杆と作動部材を示す平面図解図であり、（Ｂ）は、第２の作動片の左側図解図である。
【図９】閉じた状態における綴具の底面図である。
【図１０】閉じた状態における綴具の横断面図であり、（Ａ）は、図９Ａ−Ａ断面図であり、（Ｂ）は、図９Ｂ−Ｂ断面図である。
【図１１】綴じ杆を開く状態を示す綴具の底面図である。
【図１２】開く状態を示す綴具の底面図解図であり、（Ａ）は、ほぼ開いた綴具の底面図解図であり、（Ｂ）は、開き終わった底面図解図である。
【図１３】開いた状態における綴具の横断面図であり、（Ａ）は、図１２Ａ−Ａ断面図であり、（Ｂ）は、図１２Ｂ−Ｂ断面図である。
【図１４】本発明の一実施の形態である表紙構造を備えたファイルの図解図であり、（Ａ）は、ファイルの表紙を閉じた状態の平面図解図であり、（Ｂ）は、ファイルの表紙を閉じた状態の一部を断面とした正面図解図である。
【図１５】図１４図示綴じ具の綴じ杆及び作動部材の側面図解図である。
【図１６】閉じた状態における図１４図示綴じ具の横断面図解図である。
【図１７】本発明の一実施の形態である表紙構造を備えたファイルの一部を断面とした正面図解図である。
【図１８】図１７図示ファイルの表紙を開いた状態の斜視図解図である。
【図１９】図１７図示綴じ具の図解図であり、（Ａ）は、平面図解図であり、（Ｂ）は、正面図解図である。
【図２０】本発明の一実施の形態である表紙構造を備えたファイルの図解図であり、（Ａ）は、ファイルの表紙を閉じた状態の平面図解図であり、（Ｂ）は、ファイルの表紙を閉じた状態の一部を断面とした正面図解図である。
【図２１】図２０図示綴じ具の図解図であり、（Ａ）は、平面図解図であり、（Ｂ）は、正面図解図である。
【図２２】本発明の一実施の形態である表紙構造を備えたファイルの図解図であり、（Ａ）は、ファイルの表紙を閉じた状態の平面図解図であり、（Ｂ）は、ファイルの表紙を閉じた状態の一部を断面とした正面図解図である。
【図２３】図２２図示ファイルの表紙を開いた状態の斜視図解図である。
【図２４】この発明に係る綴じ具の一例を示す斜視図解図である。
【図２５】図２４に示す綴じ具の分解斜視図解図である。
【図２６】綴杆体を固定手段に固定した状態における右側面図解図である。
【図２７】綴杆体を固定手段に固定した状態における左側面図解図である。
【図２８】綴杆体を固定手段に固定した状態における正面図解図である。
【図２９】綴杆体を固定手段に固定した状態における断面図解図である。
【図３０】固定された綴じ具を解除するときの様子を示す図解図である。
【図３１】図２４に示す綴じ具の綴杆体をのばし、被綴じ物を綴じる状態を示す断面図解図である。
【図３２】この発明にかかる図１及び１４図示ファイルの各部及び方向を示す斜視図解図である。
【図３３】この発明にかかる図１７及び２０図示ファイルの各部及び方向を示す斜視図解図である。
【図３４】この発明にかかる図２２図示ファイルの各部及び方向を示す斜視図解図である。
【図３５】従来のファイルの表紙を閉じた状態の一部を断面とした正面図解図である。
【符号の説明】
【０１０７】
１０，１１０，２１０，３１０，４１０  綴じ具
１２，１１２，２１２，３１２  第１の綴環
１２ａ，１１２ａ，２１２ａ，３１２ａ  第１の半割杆
１２ｂ，１１２ｂ，２１２ｂ，３１２ｂ  第２の半割杆
１４，１１４，２１４，３１４  第２の綴環
１４ａ，１１４ａ，２１４ａ，３１４ａ  第３の半割杆
１４ｂ，１１４ｂ，２１４ｂ，３１４ｂ  第４の半割杆
１６  保持部材
１８  作動部材
２０  取付孔
２２  被綴じ物載置部
２４  保持壁
２４ａ  第１の保持壁
２４ｂ  第２の保持壁
２６  第１の貫通孔
２８  第２の貫通孔
３０  第１の作動片
３０ａ，３２ａ  突き合わせ縁
３０ｂ，３２ｂ  外側端縁
３２  第２の作動片
３２  第２の作動片
３６  開閉部材収容部
３６ａ，３６ｂ  凹み
３８ａ，３８ｂ  開閉部材固定部
４０  開閉部材
４２ａ，４２ｂ  固定先端部
４４  巻線部
４６ａ，４６ｂ  規制腕部
５０  綴杆係止部
９０  押し上げ片
９２  取り付け面
９４  固定面
４１２  ファイル
４２０  ベース
４２２  基板
４２２ａ  取付孔
４２４，４２６  傾斜部
４２８，４３０  支持部
４３２，４４０，５０８，５１６  第１枢支部
４３４，４４２，５１０，５１８  第２枢支部
４３６，４４４，５１２，５２０  第３枢支部
４３８，４４６，５１４，５２２  第４枢支部
４４８，４５０，４５２，４５４  収容部
４５８，４６０  凹部
４８０，４８２  枢軸
４９０  係合手段
４９２  第１の係合側板
４９４  第２の係合側板
５００，５０２  係合体本体
５０４，５０６  上部係止部
５０４ａ，５０６ａ  突条
５３０，５３２  弾発部
６００  綴杆体
６０２  外側挿入部
６０２ａ，６０６ａ  第１の綴じ杆
６０２ｂ，６０６ｂ  第２の綴じ杆
６０６ｃ  連結杆部
６０４  第１の本体
６０６  内側挿入部
６０６Ａ  金属製綴杆素材
６０８  第２の本体
６１０，６１２  立設部
６１２ａ，６１２ｂ  貫通孔
６１４，６１６  枢軸固定部
６１８，６２０  係止部
６１８ａ  突起
１０１０  ファイル
１０１２  表紙
１０１４  背表紙
１０１６  表表紙
１０１８  裏表紙
１０２０  表側薄肉ヒンジ部
１０２２  裏側薄肉ヒンジ部
１０３０  垂れ防止手段
Ｃ  中央
Ｓ  被綴じ物
【図１】
2010052397.tif 000003
【図２】
2010052397.tif 000004
【図３】
2010052397.tif 000005
【図４】
2010052397.tif 000006
【図５】
2010052397.tif 000007
【図６】
2010052397.tif 000008
【図７】
2010052397.tif 000009
【図８】
2010052397.tif 000010
【図９】
2010052397.tif 000011
【図１０】
2010052397.tif 000012
【図１１】
2010052397.tif 000013
【図１２】
2010052397.tif 000014
【図１３】
2010052397.tif 000015
【図１４】
2010052397.tif 000016
【図１５】
2010052397.tif 000017
【図１６】
2010052397.tif 000018
【図１７】
2010052397.tif 000019
【図１８】
2010052397.tif 000020
【図１９】
2010052397.tif 000021
【図２０】
2010052397.tif 000022
【図２１】
2010052397.tif 000023
【図２２】
2010052397.tif 000024
【図２３】
2010052397.tif 000025
【図２４】
2010052397.tif 000026
【図２５】
2010052397.tif 000027
【図２６】
2010052397.tif 000028
【図２７】
2010052397.tif 000029
【図２８】
2010052397.tif 000030
【図２９】
2010052397.tif 000031
【図３０】
2010052397.tif 000032
【図３１】
2010052397.tif 000033
【図３２】
2010052397.tif 000034
【図３３】
2010052397.tif 000035
【図３４】
2010052397.tif 000036
【図３５】
2010052397.tif 000037